(57)【要約】【課題】  強度を保ちながら軽量化が図れる墓石とその製造方法を提供する。【解決手段】  納骨室を形成する石材シート５３，５５，５７，５９，６１の断面構造は、石材部８３とハニカム部８１とを重ね合わせたものになっている。石材部８３は、例えば、天然の大理石あるいは御影石である。ハニカム部８１は、例えば、アルミニウムである。石材シート５３と５５、石材シート５５と５７、石材シート５７と５９、石材シート５９と６１とが直角になるように、ステンレス製の「く」の字状の連結金具９１を用いて結合されている。【選択図】  図４
2014141850.tif 000002
【特許請求の範囲】
【請求項１】
厚み方向にハニカム部材と石材とが配置された板状の石部材を、
石材が外側に位置するように組み合わせて構成された
墓石。
【請求項２】
前記石部材をくの字状に配置し、隣接する２つの石部材の接合端面に対して、当該端面に直交に「く」の字状の連結部材を挿入して当該２つの石部材を固定した
請求項１に記載の墓石。
【請求項３】
厚み方向にハニカム部材と石材とが配置された板状の複数の石部材を、当該石部材の接合面に形成された孔に「く」の字状の連結部材を挿入して結合する工程
を有する墓石の製造方法。
【発明の詳細な説明】
【技術分野】
【０００１】
本発明は、軽量の墓石、並びその製造方法に関する。
【背景技術】
【０００２】
近年、墓地の不足に伴い、ロッカー式の納骨堂等も出てきている。
しかしながら、このようなロッカー式の納骨堂では、従来のお墓と全くイメージが違い、多くのユーザの要望に応えられていない。
従来のお墓のイメージに近いものとして、建物の複数のフロアーに墓石を配置するアイデアがある。
【発明の開示】
【発明が解決しようとする課題】
【０００３】
しかしながら、上述した建物の複数のフロアーに墓石を配置する場合に、墓石の重量のため、建物の強度が必定になり、難しいという問題がある。
【０００４】
本発明は上述した従来技術の問題に鑑みてなされ、強度を保ちながら軽量化が図れる墓石とその製造方法を提供することを目的とする。
【課題を解決するための手段】
【０００５】
上述した従来技術の問題点を解決し、上述した目的を達成するため、本発明の墓石は、厚み方向にハニカム部材と石材とが配置された板状の石部材を、石材が外側に位置するように組み合わせて構成されている。
【０００６】
好適には、本発明の墓石は、前記石部材をくの字状に配置し、隣接する２つの石部材の接合端面に対して、当該端面に直交に「く」の字状の連結部材を挿入して当該２つの石部材を固定している。
【０００７】
本発明の墓石の製造方法は、厚み方向にハニカム部材と石材とが配置された板状の複数の石部材を、当該石部材の接合面に形成された孔に「く」の字状の連結部材を挿入して結合する工程を有する。
【発明の効果】
【０００８】
本発明によれば、強度を保ちながら軽量化が図れる墓石とその製造方法を提供することができる。
【図面の簡単な説明】
【０００９】
【図１】図１は、本発明の墓石の正面図、側面図である。
【図２】図２は、図１に示す墓石の上段納骨室の分解斜視図である。
【図３】図３は、図１に示す墓石に使用される石板材を説明するための図である。
【図４】図４は、図２に示す上段納骨室の石板材の接合構造を説明するための図である。
【図５】図５は、図４に示す連結金具を説明するための図である。
【図６】図５は、図１に示す墓石の下段納骨室の分解斜視図である。
【発明を実施するための最良の形態】
【００１０】
以下、本発明の実施形態に係る墓石を、図面を参照しながら説明する。
本実施形態の墓石は、アルミハニカム構造の石材シートを用いた構造になっていることが特徴である。
【００１１】
図１（Ａ）は本発明の実施形態の墓石の正面図、図１（Ｂ）は側面図である。
図１に示すように、墓石１は、例えば、上段納骨堂室部１１、下段納骨堂室部１３、竿石部１５を有している。
墓石１は、下段納骨堂室部１３の上に上段納骨堂室部１１が固定して置かれ、上段納骨堂室部１１の上に竿石部１５が固定して置かれている。
【００１２】
図２は、図１に示す墓石の上段納骨室１１の分解斜視図である。
図２に示すように、上段納骨堂室部１１は、支持板５１の上に納骨室領域を囲み、正面側に出入り口６０を形成するように、石材シート５３，５５，５７，５９，６１を組み合わせて形成されている。
出入り口６０には、蓋７１が着脱可能に装着できるいようになっている。
【００１３】
石材シート５３，５５，５７，５９，６１の断面構造は、図３に示すように、石材部８３とハニカム部８１とを重ね合わせたものになっている。
石材部８３は、例えば、天然の大理石、あるいは御影石である。
ハニカム部８１は、例えば、アルミニウムである。
このような石材シートを用いたことで、強度を保ちながら、重量を大幅に小さくできる。
【００１４】
図４に示すように、石材シート５３と５５、石材シート５５と５７、石材シート５７と５９、石材シート５９と６１とが直角になるように、ステンレス製の「く」の字状の連結金具９１を用いて結合されている。図５は、連結金具９１の外観図である。
具体的には、連結する２つの石材シートの連結面には、連結金具９１の先端が挿入される挿入孔が形成されている。
石材シートを連結する際に、一方の石材シートの連結孔に連結金具９１の一方の先端を挿入し、続いて、連結金具９１の他方の先端に他方の石材シートの連結孔を挿入する。
このとき、石材シートの連結孔と連結金具９１との間には接着剤を入れる。
【００１５】
図６は、図１に示す墓石の下段納骨堂室部１３の分解斜視図である。
図６に示すように、下段納骨堂室部１３は、上段納骨堂室部１１の上に位置する支持板７３の上に納骨室領域を囲み、正面側に出入り口１６０を形成するように、石材シート１５３，１５５，１５７，１５９，１６１を組み合わせて形成されている。
出入り口１６０には、蓋１７１が着脱可能に装着できるいようになっている。
【００１６】
石材シート１５３，１５５，１５７，１５９，１６１の断面構造は、図３と同様に、石材部８１とハニカム部８３とを重ね合わせたものになっている。
【００１７】
石材シート１５３と１５５、石材シート１５５と１５７、石材シート１５７と１５９、石材シート１５９と１６１とが直角になるように、ステンレスの「く」の字状の連結金具９１を用いて結合されている。この点は、前述した場合と同様である。
【００１８】
墓石１では、例えば、図１に示す墓石１を組み立てた状態ではなく、複数の石材シートのままの状態で設置場所に搬送し、設置場所で、石材シートを連結することで図１に示す形に組み立てる。
そのため、墓石１の搬送する際の大きさを小さくできる。
また、石材シートは、図３に示すような構造をしているため、重量を大幅に小さくできる。
そのため、墓石１は、１階のみでなく、建物の２階以上のフロアに設置することができる。
【００１９】
また、墓石１では、図４に示すように隣接する石材シートを連結するため高い連結強度を得ることができる。
【００２０】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、墓石１の形状は図１に示すものに限定されない。
また、墓石１を構成要素のうち一部が図３に示す石材シートを用いていれば、全ての部分を当該石材シートで構成する必要はない。
また、図３に示す石材シートの構造は、厚み方向にハニカム部材と石材とが配置されたものであれば特に特に限定されない。
【００２１】
【産業上の利用可能性】
【００２２】
本発明は、墓石に適用可能である。
【符号の説明】
【００２３】
１…墓石
１１…上段納骨堂室部
１３…下段納骨堂室部
１５…竿石部
５３，５５，５７，５９，６１，１５３，１５５，１５７，１５９，１６１…石材シート
８１…石材部
８３…ハニカム部
９１…連結金具
【図１】
2014141850.tif 000003
【図２】
2014141850.tif 000004
【図３】
2014141850.tif 000005
【図４】
2014141850.tif 000006
【図５】
2014141850.tif 000007
【図６】
2014141850.tif 000008
【手続補正書】
【提出日】平成25年2月12日(2013.2.12)
【手続補正１】
【補正対象書類名】図面
【補正対象項目名】図４
【補正方法】変更
【補正の内容】
【図４】
2014141850.tif 000009